(57)【要約】【課題】  厚みの異なる床パネルを用いるいずれの場合においても上下方向にモジュール化された外壁仕上げ材パネルを容易に使用可能とする。【解決手段】  複数階建ての建物１の外壁をなす外壁構造材２の表面に対し、上下方向及び幅方向の長さが基準寸法に基づいて設定された正面視矩形状の外壁仕上げ材パネル３を上下方向に複数連続させて取り付ける外壁の仕上げ材取付方法である。複数の外壁仕上げ材パネル３の割り付けの起点となる基準線Ｌ１を外壁構造材２の表面の中間部に設定し、当該基準線Ｌ１を基に複数の外壁仕上げ材パネル３の取り付け位置を決めた後、最下段の外壁仕上げ材パネル３から最上段の外壁仕上げ材パネル３まで取り付ける。外壁仕上げ材パネル３で覆えなかった外壁構造材２の表面の露出部分Ｒ１，Ｒ２を、最上段の外壁仕上げ材パネル３の上端部用及び最下段の外壁仕上げ材パネル３の下端部用にそれぞれ用意された調整部材３０，４０で覆う。【選択図】図１
2014227789.tif 000002
【特許請求の範囲】
【請求項１】
複数階建ての建物の外壁をなす外壁構造材の表面に対し、
上下方向及び幅方向の長さが基準寸法に基づいて設定された正面視矩形状の外壁仕上げ材パネルを、現場で、上下方向に複数連続させて取り付ける外壁の仕上げ材取付方法であって、
前記複数の外壁仕上げ材パネルの割り付けの起点となる基準線を前記外壁構造材の表面の中間部に、当該外壁構造材の幅方向に沿って設定し、当該基準線を基に前記複数の外壁仕上げ材パネルの上下方向に連続する取り付け位置を決めた後、
前記外壁構造材の表面に、最下段の前記外壁仕上げ材パネルから最上段の前記外壁仕上げ材パネルまで取り付けていき、
前記外壁仕上げ材パネルで覆うべき部分でありながら、前記外壁仕上げ材パネルで覆えなかった前記外壁構造材の表面の露出部分を、前記最上段の外壁仕上げ材パネルの上端部用及び前記最下段の外壁仕上げ材パネルの下端部用にそれぞれ用意された調整部材で覆うことで前記建物の外壁を仕上げることを特徴とする外壁の仕上げ材取付方法。
【請求項２】
請求項１記載の外壁の仕上げ材取付方法において、
前記外壁構造材の表面に取り付けられた前記下端部用の調整部材の一端部を覆うように、前記最下段の外壁仕上げ材パネルを前記外壁構造材の表面に取り付けることを特徴とする外壁の仕上げ材取付方法。
【請求項３】
請求項１又は２記載の外壁の仕上げ材取付方法において、
前記外壁構造材の表面に取り付けられた基礎水切りの一端部を覆って、なおかつ前記基礎水切りの他端部と連続するように、前記下端部用の調整部材を前記外壁構造材の表面に取り付けることを特徴とする外壁の仕上げ材取付方法。
【請求項４】
請求項１〜３のいずれか一項に記載の外壁の仕上げ材取付方法において、
前記上端部用の調整部材は、
前記最上段の外壁仕上げ材パネルの上端部に接するように設けられた軒天材と、
前記軒天材の軒先側端部に接するように取り付けられた軒天受材とを有していることを特徴とする外壁の仕上げ材取付方法。
【請求項５】
請求項１〜４のいずれか一項に記載の外壁の仕上げ材取付方法において、
前記基準線は、前記外壁構造材の表面に設けられた開口部の上端若しくは下端に対応するように設けられていることを特徴とする外壁の仕上げ材取付方法。
【請求項６】
請求項１〜５のいずれか一項に記載の外壁の仕上げ材取付方法において、
前記外壁構造材は、
基準寸法の整数倍の長さで製造された外壁パネルと、
基礎の上面及び前記外壁パネルの下端部に挟まれた一階床構造材と、
上下階の前記外壁パネルで挟まれた上階床構造材とを備えることを特徴とする外壁の仕上げ材取付方法。
【発明の詳細な説明】
【技術分野】
【０００１】
本発明は、外壁の仕上げ材取付方法に関する。
【背景技術】
【０００２】
従来より、住宅の外壁仕上げ材パネルにおいては、建物を構築する際に用いられる基準寸法（モジュール）を幅方向に適用させたものが知られている（例えば特許文献１参照）。
【先行技術文献】
【特許文献】
【０００３】
【特許文献１】特開２００２−３６４１５３号公報
【発明の概要】
【発明が解決しようとする課題】
【０００４】
ところで、床パネルの厚みは建物の仕様によって変動し、建物の高さも基準寸法に関係なく床パネルの厚みに応じて変動してしまう。これにより上下方向でモジュール化した外壁仕上げ材パネルを用いるのは困難であるのが実状である。
このため、本発明の課題は、厚みの異なる床パネルを用いるいずれの場合においても、上下方向にモジュール化された外壁仕上げ材パネルを容易に使用可能とすることである。
【課題を解決するための手段】
【０００５】
請求項１記載の発明は、例えば図１，図２に示すように、
複数階建ての建物１の外壁をなす外壁構造材２の表面に対し、
上下方向及び幅方向の長さが基準寸法に基づいて設定された正面視矩形状の外壁仕上げ材パネル３を、現場で、上下方向に複数連続させて取り付ける外壁の仕上げ材取付方法であって、
前記複数の外壁仕上げ材パネル３の割り付けの起点となる基準線Ｌ１を前記外壁構造材２の表面の中間部に、当該外壁構造材の幅方向に沿って設定し、当該基準線Ｌ１を基に前記複数の外壁仕上げ材パネル３の上下方向に連続する取り付け位置を決めた後、
前記外壁構造材２の表面に、最下段の前記外壁仕上げ材パネル３から最上段の前記外壁仕上げ材パネル３まで取り付けていき、
前記外壁仕上げ材パネル３で覆うべき部分でありながら、前記外壁仕上げ材パネル３で覆えなかった前記外壁構造材２の表面の露出部分Ｒ１，Ｒ２を、前記最上段の外壁仕上げ材パネル３の上端部用及び前記最下段の外壁仕上げ材パネル３の下端部用にそれぞれ用意された調整部材３０，４０で覆うことで前記建物１の外壁を仕上げることを特徴としている。
【０００６】
請求項１記載の発明によれば、上下方向及び幅方向の長さが基準寸法の外壁仕上げ材パネル３、つまりモジュール化された外壁仕上げ材パネル３の取り付け位置が、外壁構造材２の表面の中間部に設定された基準線Ｌ１を基に決められているので、モジュール化された外壁仕上げ材パネル３を外壁構造材２の表面に取り付けることができる。
そして、外壁仕上げ材パネル３で覆うべき部分でありながら外壁仕上げ材パネル３で覆えなかった外壁構造材２の露出部分Ｒ１，Ｒ２に対しては調整部材３０，４０で覆うために、モジュール化された外壁仕上げ材パネル３が届かない領域があったとしても調整部材３によって隠されることになる。
床パネル（一階床構造材２１、上階床構造材２３）の厚みが異なれば露出部分Ｒ１，Ｒ２も増減することになるが、調整部材４０の取付位置を調整したり、大きさの異なる調整部材３０を用いれば、露出部分Ｒ１，Ｒ２が増減したとしても調整部材３０，４０によって当該露出部分Ｒ１，Ｒ２を隠すことができ、美観を確保することができる。
したがって、厚みの異なる床パネルを用いるいずれの場合においても、上下方向にモジュール化された外壁仕上げ材パネル３を容易に使用することができる。
【０００７】
請求項２記載の発明は、請求項１記載の外壁の仕上げ材取付方法において、例えば図３に示すように、
前記外壁構造材２の表面に取り付けられた前記下端部用の調整部材３０の一端部を覆うように、前記最下段の外壁仕上げ材パネル３を前記外壁構造材２の表面に取り付けることを特徴としている。
【０００８】
請求項２記載の発明によれば、最下段の外壁仕上げ材パネル３の下端部用の調整部材３０の一部が外壁仕上げ材パネル３によって覆われるために、調整部材３０が目立たなくなり、美観を確保することができる。
【０００９】
請求項３記載の発明は、請求項１又は２記載の外壁の仕上げ材取付方法において、例えば図３に示すように、
前記外壁構造材２の表面に取り付けられた基礎水切り６０の一端部を覆って、なおかつ前記基礎水切り６０の他端部と連続するように、前記下端部用の調整部材３０を前記外壁構造材２の表面に取り付けることを特徴としている。
【００１０】
請求項３記載の発明によれば、下端部用の調整部材３０が基礎水切り６０の一端部を覆って、なおかつ基礎水切り６０の他端部と連続するように外壁構造材２の表面に取り付けられているので、調整部材３０が基礎水切り６０に重なることになる。外壁仕上げ材パネル３の下方が調整部材３０と基礎水切り６０によって段階的に覆われるため、単に基礎水切り６０だけが設けられた場合と比しても、奥行きを感じさせる美観的に優れた印象を与えることができる。
【００１１】
請求項４記載の発明は、請求項１〜３のいずれか一項に記載の外壁の仕上げ材取付方法において、例えば図１に示すように、
前記上端部用の調整部材４０は、
前記最上段の外壁仕上げ材パネル３の上端部に接するように設けられた軒天材１２と、
前記軒天材１２の軒先側端部に接するように取り付けられた軒天受材１１とを有していることを特徴としている。
【００１２】
請求項４記載の発明によれば、最上段の外壁仕上げ材パネル３の上端部用の調整部材４０が、最上段の外壁仕上げ材パネル３の上端部に接するように設けられた軒天材１２と、軒天材１２の軒先側端部に接するように取り付けられた軒天受材１１とを備えているので、軒天受材１２による軒天材１１の支持位置を変更することで上端部側の露出部分Ｒ２の増減に対応することができる。そして、軒天材１１は一般的な建物に用いられるものであるので、別個専用の調整部材を準備することが不要となる。
【００１３】
請求項５記載の発明は、請求項１〜４のいずれか一項に記載の外壁の仕上げ材取付方法において、例えば図１，図２に示すように、
前記基準線Ｌ１は、前記外壁構造材２の表面に設けられた開口部２５の上端若しくは下端に対応するように設けられていることを特徴としている。
【００１４】
請求項５記載の発明によれば、外壁構造材２の表面に設けられた開口部２５の上端若しくは下端に対応するように基準線が設けられているので、開口部２５の上端若しくは下端で外壁仕上げ材パネル３を位置合わせすることができ、開口部２５近傍が露出してしまうことを防止することができる。このため開口部２５近傍に調整部材を設けなくてもよくなり、開口部２５の印象をスッキリとしたものにすることができる。
【００１５】
請求項６記載の発明は、請求項１〜５のいずれか一項に記載の外壁の仕上げ材取付方法において、例えば図１，図２に示すように、
前記外壁構造材は、
基準寸法の整数倍の長さで製造された外壁パネル（一階用壁パネル２２、二階用壁パネル２４）と、
基礎４の上面及び前記外壁パネルの下端部に挟まれた一階床構造材２１と、
上下階の前記外壁パネルで挟まれた上階床構造材２３とを備えることを特徴としている。
【００１６】
請求項６記載の発明によれば、基準寸法の整数倍の長さで製造された外壁パネルと、基礎４の上面及び外壁パネルの下端部に挟まれた一階床構造材２１と、上下階の外壁パネルで挟まれた上階床構造材２３とを備える外壁構造材２に対しても、上下方向にモジュール化された外壁仕上げ材パネル３を容易に使用することができる。
【発明の効果】
【００１７】
本発明によれば、厚みの異なる床パネルを用いるいずれの場合においても、上下方向にモジュール化された外壁仕上げ材パネルを容易に使用することができる。
【図面の簡単な説明】
【００１８】
【図１】本実施形態に係る建物の外壁構造を示す断面図である。
【図２】図１に対応する部分における外壁仕上げ材パネル及び外壁構造材の位置関係を正面から示した模式図である。
【図３】図１に示す最下段の外壁仕上げ材パネルの下端部用の調整部材の概略構成を示す断面図である。
【図４】図３の調整部材のサイズ違いの一例を示す断面図である。
【図５】最上段の外壁仕上げ材パネルがサッシに対向している場合の調整部材を示す断面図である。
【図６】図５の調整部材のサイズ違いの一例を示す断面図である。
【図７】最上段の外壁仕上げ材パネルが軒のない部分に対向している場合の調整部材を示す断面図である。
【発明を実施するための形態】
【００１９】
以下、図面を参照して本発明の実施の形態について説明する。
図１は本実施形態に係る建物の外壁構造を示す断面図である。図１に示すように、建物１は２階建ての建物であり、外壁構造材２の表面に対して外壁仕上げ材パネル３が取り付けられることで外壁が形成されている。
【００２０】
外壁構造材２には、基礎４の上面に載置された床パネルである一階床構造材２１と、一階床構造材２１を介して基礎４上に載置された一階用壁パネル（壁パネル）２２と、一階用壁パネル２２の上端面に載置された床パネルである上階床構造材２３と、上階床構造材２３を介して一階用壁パネル２２上に載置された二階用壁パネル（壁パネル）２４とが設けられている。
一階床構造材２１、一階用壁パネル２２、上階床構造材２３及び二階用壁パネル２４の主面は、基準寸法（モジュール）に基づいて設計され、構築されている。この基準寸法（モジュール）とは、建物の所定の部分を一定の大きさの整数倍関係に整えるための基準寸法である。１モジュールの具体的な値としては、例えば８００ｍｍ、９００ｍｍ、９１０ｍｍ、１０００ｍｍ等が挙げられる。
本実施形態では一階用壁パネル２２及び二階用壁パネル２４は、高さが３モジュール、幅が１モジュールで形成されている。
【００２１】
一階用壁パネル２２及び二階用壁パネル２４には、窓５が取り付けられる開口部２５，２６が設けられている。二階用壁パネル２４の開口部２６の上部には、まぐさ２７が設けられている。
一階床構造材２１、一階用壁パネル２２、上階床構造材２３及び二階用壁パネル２４の外表面は面一になっている。
【００２２】
二階用壁パネル２４の上部には断面三角形状の結合桁６が固定されており、この結合桁６によって屋根パネル７の軒先部が支持されている。屋根パネル７の表面には屋根材８が敷設されており、また、屋根パネル７の先端面には断面三角形状の取付部材９が固定されている。
【００２３】
取付部材９には横樋１０と軒天受材１１とが取り付けられている。横樋１０は取付部材９の先端側に取り付けられており、軒天受材１１は取付部材９の下側に取り付けられている。
軒天受材１１は、軒天材１２の軒先側端部を受けて支持するものであり、内側に突出する凸条１１ａを備えている。この凸条１１ａによって軒天材１２の落下を防止している。軒天材１２は、その裏側に釘打ちなどによって取り付けられた格子状の野縁１３を備えている。野縁１３は屋根パネル７から図示しない吊木によって吊り下げて固定されている。
【００２４】
一階床構造材２１、一階用壁パネル２２、上階床構造材２３及び二階用壁パネル２４の外表面には、矩形の基準寸法の外壁仕上げ材パネル３が互いに面一となるように複数取り付けられている。外壁仕上げ材パネル３は、その外表面が例えばタイル材によって化粧されている。
【００２５】
図２は、図１に対応する部分における外壁仕上げ材パネル３及び外壁構造材２の位置関係を正面から示した模式図である。なお、図２におけるＩ−Ｉ切断線で見た断面図が図１である。図２において一点鎖線部が外壁構造材２であり、実線部が外壁仕上げ材パネル３である。外壁仕上げ材パネル３は、上下方向及び幅方向の長さがともに基準寸法を基に設定された正面視矩形状のパネルである。例えば、図２で示す外壁仕上げ材パネル３においては、高さが１モジュールであり、幅が３モジュールで形成されている。なお、この図２の例はわかりやすくするために外壁仕上げ材パネル３の高さを１モジュールとしたが、１モジュールの整数分の１の高さの外壁仕上げ材パネル３を用いてもよい。
本実施形態では上下方向において最下段から最上段にかけて６枚の外壁仕上げ材パネル３が取り付けられている。以下の説明においては、最下段のものから順に第一外壁仕上げ材パネル３ａ、第二外壁仕上げ材パネル３ｂ、第三外壁仕上げ材パネル３ｃ、第四外壁仕上げ材パネル３ｄ、第五外壁仕上げ材パネル３ｅ、第六外壁仕上げ材パネル３ｆと称す。これらの外壁仕上げ材パネル３は、一階用壁パネル２２の開口部２５の上端に対応するように、外壁構造材２の幅方向に沿って設けられた基準線Ｌ１を起点として割り付け位置が決められている。このため、各開口部２５，２６付近に取り付けられる第二外壁仕上げ材パネル３ｂ及び第六外壁仕上げ材パネル３ｆには、開口部２５，２６に対応した開口３８，３９が予め形成されている。
【００２６】
ここで、一階用壁パネル２２及び二階用壁パネル２４の高さがそれぞれ３モジュールであり、外壁仕上げ材パネル３の高さが１モジュールであるが、外壁構造材２の高さは一階床構造材２１及び上階床構造材２３の厚みも含んでいる。このため、基準線Ｌ１に基づいて各外壁仕上げ材パネル３の割り付け位置を決めたとしても、外壁仕上げ材パネル３で覆うべきでありながら覆えない露出部分Ｒ１，Ｒ２（図２における斜線部）が発生してしまう。この露出部分Ｒ１，Ｒ２は、一階床構造材２１や上階床構造材２３の厚さによって変動するものである。
この露出部分Ｒ１，Ｒ２においては、第六外壁仕上げ材パネル３ｆの上端部用及び第一外壁仕上げ材パネル３ａの下端部用にそれぞれ用意された調整部材３０，４０によって覆われている。
【００２７】
第六外壁仕上げ材パネル３ｆの上端部用の調整部材４０は、上述した軒天材１２及び軒天受材１１を有している。図１に示すように軒天材１２の野縁１３は、第六外壁仕上げ材パネル３ｆの上端部に接するように設けられている。また、軒天材１２の軒先側端部に接するように設けられた軒天受材１１は、凸条１１ａの上方が垂直面１１ｂとなっている。この垂直面１１ｂ内においては軒天材１２を上下方向に位置調整することが可能である。
【００２８】
図３は、第一外壁仕上げ材パネル３ａの下端部用の調整部材３０の概略構成を示す断面図である。図３に示すように、一階床構造材２１の表面（側面）には基礎水切り６０が取り付けられている。この基礎水切り６０を介して、第一外壁仕上げ材パネル３ａの下端部用の調整部材３０が、例えば釘５０によって一階床構造材２１の表面に取り付けられている。
調整部材３０は、基礎水切り６０に重なる取付部３１と、取付部３１の下部から連続して外側に向かって斜め下に延在し、そしてその先端部から下方に向かって延在する段差部３２とを備えている。
【００２９】
取付部３１の上部は第一外壁仕上げ材パネル３ａの下部に覆われている。取付部３１の下端部３１１は、外側に向かって曲がっており、その先端部が斜め上方に向かって屈曲している。
段差部３２の下端部には、内側に向かって斜め上に延在する延在部３２１が設けられている。この延在部３２１の先端部は上方に向かって屈曲している。段差部３２は取付部３１とともに基礎水切り６０の上部を覆っている。
したがって、調整部材３０は、外壁構造材２の表面に取り付けられた基礎水切り６０の一端部を覆うとともに基礎水切り６０の他端部と連続するように外壁構造材２の表面に取り付けられ、露出部分Ｒ１を覆うことになる。
【００３０】
ここで、調整部材３０においては、段差部３２の上下方向の長さの異なるものが複数種類準備されている。図４は、図３に示す一階床構造材２１よりも高さの低い一階床構造材２１ａが用いられた場合の調整部材３０ａを示している。図４に示すように、高さの低い一階床構造材２１ａであると、その下端部から基準線Ｌ１までの距離が短くなり、露出部分Ｒ１も上下方向に狭くなる。
このため、図４の場合に用いられる調整部材３０ａにおいては、段差部３２ａの上下方向の長さが調整部材３０の段差部３２よりも短く設定されている。なお調整部材３０ａについては、調整部材３０と同一の部分に同一の符号を付しその説明を省略する。
【００３１】
次に、本実施形態の外壁の仕上げ材取付方法について説明する。この外壁の仕上げ材取付方法は、複数階建ての建物１の外壁をなす外壁構造材２の表面に対し、外壁仕上げ材パネル３を現場で上下方向に複数連続させて取り付ける工法である。
まず、外壁構造材２が組み立てられると、作業者は基準線Ｌ１を外壁構造材２の表面の中間部に設定する。本実施形態では基準線Ｌ１は、一階用壁パネル２２の開口部２５の上端に対応するように設定されている。
【００３２】
次いで、作業者は基準線Ｌ１を基にして各外壁仕上げ材パネル３の上下方向に連続する取り付け位置を決定する。
取り付け位置の決定後、作業者は露出部分Ｒ２の大きさに対応する位置に、軒天材１２を位置合わせする。また、作業者は露出部分Ｒ１の大きさに対応する調整部材３０を準備し、基礎水切り６０を介して一階床構造材２１に取り付ける。
なお、調整部材３０の取り付け時においては、外壁構造材２の表面に取り付けられた基礎水切り６０の一端部を覆って、なおかつ基礎水切り６０の他端部と連続するように、調整部材３０を外壁構造材２の表面に取り付ける。
これにより、露出部分Ｒ１，Ｒ２が調整部材３０，４０によって覆われることになる。
【００３３】
その後、作業者は、決定した取り付け位置に基づいて、最下段の第一外壁仕上げ材パネル３ａから第二外壁仕上げ材パネル３ｂ、第三外壁仕上げ材パネル３ｂ、第四外壁仕上げ材パネル３ｄ、第五外壁仕上げ材パネル３ｅ、第六外壁仕上げ材パネル３ｆという順で、各外壁仕上げ材パネル３を外壁構造材２の表面に取り付ける。
最下段の外壁仕上げ材パネル３の取り付け時においては、外壁構造材２の表面に取り付けられた調整部材３０の一端部を覆うように、最下段の外壁仕上げ材パネル３を外壁構造材２の表面に取り付ける。
なお、調整部材４０においては、第六外壁仕上げ材パネル３ｆの取り付け後に露出部分Ｒ２の大きさに対応する位置に取り付けてもよい。
【００３４】
以上のように、本実施形態によれば、基準寸法の外壁仕上げ材パネル３、つまりモジュール化された外壁仕上げ材パネル３の取り付け位置が、外壁構造材２の表面の中間部に設定された基準線Ｌ１を基に決められているので、モジュール化された外壁仕上げ材パネル３を外壁構造材２の表面に取り付けることができる。
そして、外壁仕上げ材パネル３で覆うべき部分でありながら外壁仕上げ材パネル３で覆えなかった外壁構造材の露出部分Ｒ１，Ｒ２に対しては調整部材３０，４０で覆うために、モジュール化された外壁仕上げ材パネル３が届かない領域があったとしても調整部材３０，４０によって隠されることになる。
床パネル（一階床構造材２１、上階床構造材２３）の厚みが異なれば露出部分Ｒ１，Ｒ２も増減することになるが、調整部材４０の取付位置を調整したり、大きさの異なる調整部材３０を用いれば、露出部分Ｒ１，Ｒ２が増減したとしても調整部材３０，４０によって当該露出部分Ｒ１，Ｒ２を隠すことができ、美観を確保することができる。
したがって、厚みの異なる床パネルを用いるいずれの場合においても、上下方向にモジュール化された外壁仕上げ材パネル３を容易に使用することができる。
【００３５】
また、調整部材３０の一部が外壁仕上げ材パネル３によって覆われるために、調整部材３０が目立たなくなり、美観を確保することができる。
また、調整部材３０が基礎水切り６０を覆うように連続して外壁構造材２の表面に取り付けられているので、調整部材３０が基礎水切り６０に重なることになる。外壁仕上げ材パネル３の下方が調整部材３０と基礎水切り６０によって段階的に覆われるため、単に基礎水切り６０だけが設けられた場合と比しても、奥行きを感じさせる美観的に優れた印象を与えることができる。
【００３６】
また、調整部材４０が、第六外壁仕上げ材パネル３ｆの上端部に接するように設けられた軒天材１２と、軒天材１２の軒先側端部に接するように取り付けられた軒天受材１１とを備えているので、軒天受材１１による軒天材１２の支持位置を変更することで、上端部側の露出部分Ｒ２の増減に対応することができる。そして、軒天材１２は一般的な建物に用いられるものであるので、別個専用の調整部材を準備することが不要となる。
また、外壁構造材２の表面に設けられた開口部２５の上端に対応するように基準線Ｌ１が設けられているので、開口部２５の上端で外壁仕上げ材パネル３を位置合わせすることができ、開口部２５近傍が露出してしまうことを防止することができる。このため開口部２５近傍に調整部材を設けなくてもよくなり、開口部２５の印象をスッキリとしたものにすることができる。
また、基準寸法の整数倍の長さで製造された外壁パネル（一階用壁パネル２２、二階用壁パネル２４）と、基礎４の上面及び一階用壁パネル２２の下端部に挟まれた一階床構造材２１と、上下階の外壁パネル（一階用壁パネル２２、二階用壁パネル２４）で挟まれた上階床構造材２３とを備える外壁構造材２に対しても、上下方向にモジュール化された外壁仕上げ材パネル３を容易に使用することができる。
【００３７】
なお、本発明は上記実施形態に限らず適宜変更可能である。
例えば、上記実施形態では２階建ての建物１を例示して説明したが、３階建て以上の建物に対しても本発明の構成は適用可能である。
また、上記実施形態では開口部２５の上端部に基準線Ｌ１を設けた場合を例示して説明したが、基準線Ｌ１を開口部２５の下端部に設けてもよい。この場合においても、開口部２５の下端で外壁仕上げ材パネル３を位置合わせすることができ、開口部２５近傍が露出してしまうことを防止することができる。
【００３８】
また、上記実施形態では、最上段の外壁仕上げ材パネル３が軒天材１２に対向するために、当該軒天材１２及び軒天受材１１を備えた調整部材４０を用いているが、最上段の外壁仕上げ材パネル３が窓のサッシに対向する場合もある。図５は、最上段の外壁仕上げ材パネル３がサッシ７２に対向している場合の調整部材を示す断面図である。この場合、最上段の外壁仕上げ材パネル３の上端部用の調整部材８０は、開口部７１の内面とサッシ７２との間に設置される基部８１と、基部８１の先端部から下方に向かって延在し、露出部分Ｒ３を覆う延在部８２とを備えている。延在部８２の先端部は、内側に向かって斜め上に延在している。
この調整部材８０の延在部８２によって露出部分Ｒ３が覆い隠される。
また、露出部分Ｒ３においても、一階床構造材２１や上階床構造材２３の厚さによって上下方向の長さが変動する。調整部材８０においては、延在部８２の上下方向の長さの異なるものが複数種類準備されている。そして、露出部分Ｒ３の大きさに応じた種類の調整部材８０が用いられるようになっている。例えば、図６に示すように、図５に示す場合よりも露出部分Ｒ３が大きいと、上下方向に長い延在部８２ａを有する調整部材８０ａが用いられる。
【００３９】
また、最上段の外壁仕上げ材パネル３が軒のない部分に対向している場合も想定される。具体的に図７に示すようなフラットルーフの建物の場合、パラペット９１の上には、笠木受け９２を介して笠木９３が設けられている。そして、最上段の外壁仕上げ材パネル３は、パラペット９１の上端部よりも下方に配置されている。パラペット９１の上端部から最上段の外壁仕上げ材パネル３の上端部までの領域が露出部分Ｒ４である。最上段の外壁仕上げ材パネル３の上端部用の調整部材９４は、パラペット４の上端面及び表面からなる角部に取り付けられる基部９５と、基部９５の下端部から外側に向けて延在する第一延在部９６と、第一延在部９６の先端部から下方に向けて延在する第二延在部９７とを備えている。第二延在部９７は、断面視凹凸形状となっている。この第二延在部９７が露出部分Ｒ４及び最上段の外壁仕上げ材パネル３の上端部を覆うようになっている。この調整部材９４においても、第二延在部９７の上下方向の長さの異なるものが複数種類準備されている。そして、露出部分Ｒ４の大きさに応じた種類の調整部材９４が用いられるようになっている。
なお、この調整部材９４は、図１に示す水平な軒天材１２とは異なり、屋根パネル７と同等の傾きを有する軒天材を備えた建物に対しても適用することが可能である。
【符号の説明】
【００４０】
１      建物
２      外壁構造材
３      外壁仕上げ材パネル
４      基礎
１１      軒天受材
１２      軒天材
２１      一階床構造材
２２      一階用壁パネル（壁パネル）
２３      上階床構造材
２４      二階用壁パネル（壁パネル）
２５      開口部
２６      開口部
３０      調整部材
３１      取付部
３２      段差部
４０      調整部材
Ｌ１      基準線
Ｒ１      露出部分
Ｒ２      露出部分
Ｒ３      露出部分
【図１】
2014227789.tif 000003
【図２】
2014227789.tif 000004
【図３】
2014227789.tif 000005
【図４】
2014227789.tif 000006
【図５】
2014227789.tif 000007
【図６】
2014227789.tif 000008
【図７】
2014227789.tif 000009